(57)【特許請求の範囲】
【請求項１】
おしりケア用の吸収性物品であって、
身体接触側表面の液透過性のトップシートと、
裏面側の液不透過性のバックシートと、
前記トップシートと前記バックシートの間に設けられた吸収体とを有し、
厚さが３ｍｍ以上８ｍｍ以下であり、
前記吸収体が、木材フラッフパルプとＳＡＰ粒子とを３：１の割合で混合して形成されたものであり、
前記吸収性物品の中央部を、カトーテック株式会社製ＫＥＳ−ＦＢ３を用い、加圧面積を１ｃｍ２とし、アンプ設定をＳＥＮＳ２（１０ｇ／ｃｍ２）とし、圧縮速度を１０ｍｍ／ｓｅｃとして測定した圧縮特性は、圧縮固さＬＣ値が０．４以上０．６以下であり、
圧縮仕事量ＷＣが５．９ｇｆ・ｃｍ／ｃｍ２以上７．６ｇｆ・ｃｍ／ｃｍ２以下であり、
圧縮レジリエンスＲＣが４３％以上５６％以下であることを特徴とする吸収性物品。
【請求項２】
前記吸収性物品が水解性の素材から構成されていることを特徴とする請求項１に記載の吸収性物品。
【請求項３】
前記吸収体は、坪量が１２ｇ／ｍ２以上２５ｇ／ｍ２以下、厚さが０．１２ｍｍ以上０．３０ｍｍ以下のクレープ紙を複数枚積層した水解紙を含むことを特徴とする請求項１または請求項２に記載の吸収性物品。
【発明の詳細な説明】
【技術分野】
【０００１】
本発明は、吸収性物品に関する。
【背景技術】
【０００２】
痔疾患者は出血や薬剤によって下着を汚してしまうことがあり、生理用ナプキンや軽失禁製品を使用して下着の汚れを防ぐ場合がある。痔疾患者用の吸液処置材としては、生理用ナプキンや軽失禁用吸収パッド等の吸収性物品と同形状、すなわち、縦長の略長方形かつ平面状のものがある。従来の略長方形状かつ平面状の吸収性物品は、形状や厚み、吸収量などの点で痔疾患での出血等に適しているとはいえなかった。このようなことから痔疾患者用のパッドや下着が提案されている（特許文献１及び特許文献２参照）。
【０００３】
特許文献１の痔疾患者用下着では、痔疾患者の着座時の痛みを緩和できるよう、下着本体の内側に、所定圧の空気を封入した円環状のゴムチューブとその外面を覆う当て布とからなる環状管を、着用者の肛門部と対向する部位を囲むように縫い付け、着用者が座ったときにその臀部をわずかに扁平に偏見した環状管で支持して肛門部が座面から圧迫を受けないようにしたものが提案されている。また、特許文献２には、突起物を有する痔疾用パッドが開示されている。
【先行技術文献】
【特許文献】
【０００４】
【特許文献１】特開２００６−２２３６９７号公報
【特許文献２】特開２００７−１９５８３９号公報
【発明の概要】
【発明が解決しようとする課題】
【０００５】
しかしながら、上記従来技術では、患部を圧迫しないように環状物を備えたものや突起物を有するものがあるが、吸収性と痛みの緩和を両立させるには十分ではなかった。
【０００６】
そこで、本発明は、かかる点に鑑みてなされたものであり、クッション性が良く、着用時に痛みが生じにくい吸収性物品を提供することを目的とする。
【課題を解決するための手段】
【０００７】
上記課題を解決するために、（１）本発明は、おしりケア用の吸収性物品であって、身体接触側表面の液透過性のトップシートと、裏面側の液不透過性のバックシートと、上記トップシートと上記バックシートの間に設けられた吸収体とを有し、厚さが３ｍｍ以上８ｍｍ以下であり、上記吸収性物品のＫＥＳ圧縮試験における圧縮特性は、圧縮固さＬＣ値が０．４以上０．６以下であり、圧縮仕事量ＷＣが４ｇｆ・ｃｍ／ｃｍ２以上８ｇｆ・ｃｍ／ｃｍ２以下であり、圧縮レジリエンスＲＣが４０％以上６０％以下である。
【０００８】
（２）上記（１）において、前記吸収性物品が水解性の素材から構成されている。
（３）上記前記吸収体は、坪量が１２ｇ／ｍ２以上２５ｇ／ｍ２以下、厚さが０．１２ｍｍ以上０．３０ｍｍ以下のクレープ紙を複数枚積層した水解紙を含む。
【発明の効果】
【０００９】
本発明によれば、使用者にとって装着感が良く、下着の汚れを防ぐとともに、クッション性が良く、着用時に痛みが生じにくい吸収パッドを提供することができる。
【図面の簡単な説明】
【００１０】
【図１】本発明の実施形態にかかる吸収性物品の外観を示す平面図。
【図２】図１に示す吸収性物品におけるＸ−Ｘ断面図。
【発明を実施するための形態】
【００１１】
本発明の吸収性物品の好ましい実施の形態（以下、実施形態という）を、以下に詳細に説明する。実施形態の説明の全体を通して同じ要素には同じ番号を付している。また、実施形態において、「前」、「後」、「左」、「右」は、各々、使用者から見た方向を示す。
【００１２】
まず、本発明における吸収性物品１の一実施形態について、図１及び図２に基づいて説明する。図１は、本発明の実施形態にかかる吸収性物品の外観を示す平面図である。図２は、図１に示す吸収性物品におけるＸ−Ｘ断面図である。
【００１３】
図１及び図２に示すように、吸収性物品１は、おしりケア用の吸収物品であて、肌と接触する側から順に、身体接触側表面の液透過性のトップシート２、液保持性の吸収体３、裏面側の液不透過性のバックシート４が重ねて配置されている。さらに、トップシート２と吸収体３の間にはセカンドシート５が設けられている。
【００１４】
吸収性物品１は、後方側の広幅部から前方側に向かって狭まる略倒凧形形状を有している。吸収性物品１は、各要素を積層し、その周囲を一部あるいは全周に渡ってホットメルト系接着剤を用いて固定することにより形成する。ホットメルト系接着剤の種類及び塗布方法は特に限定されないが、ノズルから溶融状態の接着剤を非接触で塗布するカーテンコート法やスパイラル法、また、接触式では、スロット法等の公知の方法が適用できる。吸収性物品１にはトップシート２から吸収体３にわたりエンボスを有していてもよい。下着の内側に装着する際には、前後方向に沿って吸収性物品１を折って使用する。
【００１５】
吸収性物品１は、厚さを３ｍｍ以上８ｍｍ以下とすることにより、使用者が装着したときに発生する違和感を減少させることができる。また、幅方向の最大長さを有する最大幅部Ｗが、前方端部から全長の３分の２以上であってかつ１０分の９以下の位置にあり、最大幅Ｗと全長Ｌの比は、２：３以上３：５以下であることが好ましい。
【００１６】
（厚さの測定方法）
吸収性物品１の厚さは、シックネスゲージ（尾崎製作所製のダイヤルシックネスゲージ「ＰＥＡＣＯＣＫ」）を用いて測定した。測定条件は、測定荷重２５０ｇｆ、測定子直径３０ｍｍで、測定子と測定台の間に試料を置き、測定子を１秒間に１ｍｍ以下の速度で下ろしたときのゲージを読み取った。なお、測定は、ＪＩＳ−Ｐ８１１１に規定する温湿度条件下(２３±１℃、５０±２％ＲＨ)で、平衡状態に保持後に行った。
【００１７】
本発明の吸収性物品１としては、主に痔疾患の肛門及び肛門周辺からの出血、排泄物、流出薬剤を吸収する、痔疾患用吸収パッドをあげることができる。
【００１８】
トップシート２の基材は、尿等の液体が吸収体へと移動するような液透過性を備えていればよく、例えば、サーマルボンド不織布等の不織布、サーマルボンド／スパンボンドを積層した複合不織布、開口ポリエチレンフィルム、ポリエチレンフォーム、ウレタンフォーム等の発泡フィルム、あるいは、これらを積層した複合シートといった材料から形成される。液透過性を向上させるために、トップシート２にエンボス加工や穿孔加工を施すことが好ましい。その加工方法は、公知の方法を制限なく行うことができる。また、肌への刺激を低減させるために、トップシート２に、ローション、酸化防止剤、抗炎症成分、ｐＨ調整剤、抗菌剤、保湿剤等を含有させることも好ましい。さらに、強度および加工性の点から、トップシート２の坪量は、１０ｇ／ｍ２以上５０ｇ／ｍ２以下、好ましくは１５ｇ／ｍ２以上３０ｇ／ｍ２以下である。
【００１９】
吸収体３の基材は、一般に生理用ナプキンやおむつ、尿パッド等の吸収性物品に使用されるものであれば特に制限はなく、例えば、フラッフパルプ、高吸水性樹脂（Ｓｕｐｅｒ  Ａｂｓｏｒｂｅｎｔ  Ｐｏｌｙｍｅｒ；以下、「ＳＡＰ」と記す。）、親水性シートといった材料から形成される。かかるフラッフパルプとしては、木材パルプ及び合成繊維、ポリマー繊維等の非木材パルプを綿状に解繊したもの、ＳＡＰとしては、ポリアクリル酸ナトリウム、親水性シートとしては、ティシュ、吸収紙、親水性不織布があげられる。
【００２０】
吸収体３は、上記の基材を用いて、単層あるいは複層のシート状で構成される。これらの中でも、木材フラッフパルプのような、フラッフパルプのウェブの親水性繊維マトリックスをＳＡＰ粒子と混合して形成したもの、あるいは、親水性シートにＳＡＰ粒子を固定したＳＡＰシートが好ましい。フラッフパルプあるいは親水性シートと、ＳＡＰ粒子との吸水力のバランスを得るために、フラッフパルプあるいは親水性シートを１００質量部に対して、ＳＡＰ粒子を５質量部以上６０質量部以下、さらに好ましくは１０質量部以上４０質量部以下で混合する。また、ＳＡＰ粒子の漏洩防止や吸収体３の形状を安定させるために、吸収体３をティシュのような親水性シート（図示せず）に包むことが好ましい。
【００２１】
本実施形態のバックシート４の基材は、吸収体３が保持している血液等の液体が下着に漏れることを防ぐ液不透過性を備えたものであればよく、不織布、樹脂フィルム、あるいはこれらを積層した複合シートといった材料から形成される。かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。
【００２２】
強度および加工性の点から、バックシート４の坪量は、１５ｇ／ｍ２以上４０ｇ／ｍ２以下であることが好ましい。また、装着時の蒸れを防止するため、バックシート４は透湿性を持たせることが好ましい。透湿性を備えさせるために、例えば、基材の樹脂フィルムにフィラーを配合することがあげられる。フィラーとしては、炭酸カルシウムをあげることができ、その加工方法は、公知の方法を制限なく行うことができる。
【００２３】
バックシート４は非肌当接面に接着部（図示せず）を設けることができる。接着部は、吸収性物品１を下着に貼り付けて装着する際に、ズレ止めの役割を有している。接着部を形成する粘着剤は、特に制限なく用いることができるが、例えば、ポリアクリル酸エステル、酢酸ビニル−エチレン共重合体、酢酸ビニル−アクリル共重合体、ポリメチルメタクリレート、ポリスチレン、スチレンーアクリル系共重合体、ポリエステル樹脂、エポキシ樹脂、ブタジエン−スチレン共重合体等のホットメルト系粘着剤があげられる。これらを、１種のみを使用しても、複数をブレンドして使用してもよい。上記の粘着剤をバックシート４に塗布することで、接着部を形成することができる。また、接着部の形状としては、略長方形や円形、楕円形等、特に制限なく選択することができ、吸収性物品１を個包装する場合、接着部４１には、接着部を保護する剥離紙を設けることもできる。
【００２４】
セカンドシート５としては、例えば、エアースルー不織布、ポイントボンド不織布、スパンボンド不織布やメルトブロー不織布、あるいは、スパンボンド／メルトブロー、スパンボンド／メルトブローン／スパンボンドを積層した複合不織布があげられる。セカンドシート５の厚さは、０．１ｍｍ以上が好ましく、さらに好ましくは０．５ｍｍ以上である。坪量は、１５ｇ／ｍ２以上８０ｇ／ｍ２以下が好ましく、さらに好ましくは２５ｇ／ｍ２以上４０ｇ／ｍ２以下である。
【００２５】
（圧縮特性試験）
吸収性物品１の肌触りのふっくら感は、圧縮固さ（ＬＣ）、圧縮仕事量（ＷＣ）及び圧縮レジリエンス（ＲＣ）の３つの特性値によって表すことができる。
圧縮固さ（ＬＣ）とは、圧縮荷重−圧縮ひずみ曲線の直線性であり、値が１に近いほど圧縮しにくいことを表す。
本実施形態の吸収性物品１は、圧縮固さ（ＬＣ）が０．４以上０．６以下の範囲であることが好ましい。
【００２６】
圧縮仕事量（ＷＣ）とは、吸収性物品の中央部を５０ｇまで押す場合のエネルギー消費量であり、値が大きいほど圧縮するのにエネルギーを必要とする。本実施形態の吸収性物品１では、圧縮仕事量（ＷＣ）が４ｇｆ・ｃｍ／ｃｍ２以上８ｇｆ・ｃｍ／ｃｍ２以下の範囲であるのが好ましい。
【００２７】
圧縮レジリエンス（ＲＣ）とは、繊維が圧縮されたときの回復性を表すものであり、値が１００に近いほど回復性が良いことを表す。本実施形態の吸収性物品１は、圧縮レジリエンス（ＲＣ）が４０％以上５５％以下の範囲であることが好ましい。
【００２８】
圧縮固さ（ＬＣ）、圧縮仕事量（ＷＣ）及び圧縮レジリエンス（ＲＣ）は、カトーテック（株）社製ＫＥＳ−ＦＢ３を用いて圧縮性の試験を行った。
【００２９】
吸収性物品１は、圧縮固さ（ＬＣ）、圧縮仕事量（ＷＣ）及び圧縮レジリエンス（ＲＣ）が上記範囲とすることにより、痔疾患部にトップシートと密接しても、全体としてのクッション性が良好である。
【００３０】
吸収性物品１は、前後方向中央部でトップシート２側が表となるように折られ、包装フィルムで個包装されることが好ましい。この種の物品では、各物品が個包装され複数個がまとめられ、全体包装がなされて流通するが、運送や陳列、保管等の経済性の観点から、個包装された各物品は隙間無く全体包装にて包装される。このとき、吸収性物品は折り畳まれ個包装された状態で外からの圧力がかかり続けるので、吸収性物品に折れ癖がついてしまう。この構成によれば、使用時の折り曲げ方向と異なる状態で折れ癖がつくことによる装着感の違和感を生じない。
【００３１】
上述では吸収性物品１を構成する各素材に特に制限を設けていなかったが、使用後の廃棄の容易性の観点から、水解性の素材から構成されることが好ましい。その場合、トップシートは水解性スパンレース不織布等、吸収層は水解紙等、防漏シートにはＰＶＡフィルムや水解性不織布等で構成する。さらに下着固定部材は水溶性糊とし、個包装の包装材も水解性とすることが好ましい。吸水層の水解紙は、坪量：１２ｇ／ｍ２〜２５ｇ／ｍ２、厚さ：０．１２ｍｍ〜０．３０ｍｍのクレープ紙を複数枚積層したものが好ましい。
【実施例】
【００３２】
吸収性物品として、痔疾患用吸収パッドを用いた。肌当接面からみてトップシート２、セカンドシート５、吸収体３、バックシート４の順で積層し、その周囲を全周に渡ってホットメルト系接着剤を用いて固定し、吸収性物品を作製した。トップシート２は、基材として、サーマルボンド不織布（坪量２５ｇ／ｍ２）を用い、セカンドシート５は、基材として、サーマルボンド（エアスルー）不織布（坪量２８ｇ／ｍ２）を用いた。吸収体３は、木材フラッフパルプとＳＡＰ粒子を３：１の割合で混合して形成し、圧縮を加えたものを用いた。バックシート４は、基材として、２０μｍポリエチレンフィルムを用い、非肌当接面に下着固定用の接着部を設けた。比較例として、木材フラッフパルプとＳＡＰ粒子を適宜変更して形成したものを用いた。
測定は、カトーテック（株）社製ＫＥＳ−ＦＢ３を用いて圧縮性の試験を行った。試験は、加圧面積が１ｃｍ２、アンプ設定がＳＥＮＳ２（１０ｇｆ／ｃｍ２）、圧縮速度が１０ｍｍ／ｓｅｃで測定し、圧縮固さ（ＬＣ）、圧縮仕事量（ＷＣ）及び圧縮レジリエンス（ＲＣ）を算定した。また、官能評価を行った。
（官能評価）
本実施例において、官能評価を行った。２０名のパネラーに対して、吸収性物品である実施例１〜３及び比較例１〜３の柔らかさの評価を実施した。「（ａ）使用感が良い」、「（ｂ）どちらでもない」、「（ｃ）使用感が悪い」のいずれかの評価を選択させた。（ａ）の評価が１４〜２０人のときを「○」、（ａ）の評価が８〜１３人のときを「△」、（ａ）の評価が０〜７人のときを「×」で表示した。
その結果を表１に示す。
【表１】
0006501294.tif 000002
【００３３】
本実施形態の吸収性物品１によれば、使用者が下着に装着し、活動を行った場合でも、痔疾患部とのフィット感が維持され、また、血液等の液体の横漏れが極めて少ないものであった。
【００３４】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００３５】
１  吸収性物品
２  トップシート
３  吸収体
４  バックシート
５  セカンドシート
【図１】
0006501294.tif 000003
【図２】
0006501294.tif 000004